(57)【要約】  本発明の実施例はランダムアクセス方法、装置及びシステムを提供し、前記方法は、ユーザ装置（UE）が、基地局がそれのために予め構成した複数の物理ランダムアクセスチャネル（PRACH）のうちからプリアンブルを送信するためのPRACHリソースをランダムに選択し；及び、前記UEが、選択したPRACH上でプリアンブルを送信し、これにより、基地局が、各UEが送信したプリアンブルに基づいて、正確に復調されたプリアンブルに対応するUEにランダムアクセスレスポンスを送信する、ことを含む。本発明の実施例における方法及び装置により、上りチャネル及び下りチャネルのカバレッジのパフォーマンスを向上させることができる。
2016511955.tif 000002
【特許請求の範囲】
【請求項１】
ランダムアクセス方法であって、
ユーザ装置（UE)が、基地局がそれのために予め構成した複数の物理ランダムアクセスチャネル（PRACH)リソースのうちからプリアンブルを送信するためのPRACHリソースをランダムに選択し；及び
前記UEが、選択したPRACHリソース上でプリアンブルを送信し、これにより、基地局が、各UEが送信したプリアンブルに基づいて、正確に復調されたプリアンブルに対応するUEにランダムアクセスレスポンスを送信する、ことを含む、方法。
【請求項２】
請求項1に記載の方法であって、更に
前記UEが、前記基地局が送信したユーザ専用シグナリングを受信することを含み、
前記ユーザ専用シグナリングは、前記基地局が前記UEのために構成した複数のPRACHリソースの時間周波数位置情報を含む、方法。
【請求項３】
ランダムアクセス方法であって、
UEが、基地局が送信したユーザ専用シグナリングを受信し、前記ユーザ専用シグナリングは、前記基地局が前記UEのために構成した１つのPRACHリソースの時間周波数位置情報を含み；及び
前記UEが、前記PRACHリソース上でプリアンブルを送信し、これにより、基地局が、各UEが送信したプリアンブルに基づいて、正確に復調されたプリアンブルに対応するUEにランダムアクセスレスポンスを送信する、ことを含む、方法。
【請求項４】
ランダムアクセス方法であって、
基地局が、セル内の全てのUE又は一部のUEのために複数のPRACHリソースを構成し、これにより、前記UEが、前記複数のPRACHリソースのうちからプリアンブルを送信するための１つをランダムに選択し；及び
前記基地局が、全ての可能なPRACHリソース上で各UEが送信したプリアンブルを復調して検出し、正確に復調されたプリアンブルに対応するUEにランダムアクセスレスポンスを送信する、ことを含む、方法。
【請求項５】
請求項4に記載の方法であって、
基地局がセル内のUEのために複数のPRACHを構成することは、
基地局がセル内の全てのUE又は一部のUEに対してグループ化を行い；及び
前記基地局が、各グループのUEのために１つ又は複数のPRACHリソースを割り当て、これにより、前記UEが、前記複数のPRACHリソースのうちからプリアンブルを送信するための１つをランダムに選択し、又は、前記１つのPRACHリソース上でプリアンブルを送信する、ことを含む、方法。
【請求項６】
請求項4又は5に記載の方法であって、更に
前記基地局が前記UEにユーザ専用シグナリングを送信することを含み、
前記ユーザ専用シグナリングは、前記基地局が前記UEのために構成した１つ又は複数のPRACHリソースの時間周波数位置情報を含み、
基地局が各UE又は各グループのUEのために構成した前記１つ又は複数のPRACHリソースは、同じである又は異なる、方法。
【請求項７】
ランダムアクセス方法であって、
UEが１つのTTI又は複数のTTI内で複数のプリアンブルを送信し、各プリアンブルが使用するPRACHリソースは、周波数領域においてホッピングし；及び
前記UEが各々の前記プリアンブルに対応する時間ウィンドウ内でランダムアクセスレスポンスを検出する、ことを含む、方法。
【請求項８】
請求項7に記載の方法であって、更に
前記UEが、各TTI内のプリアンブルのうちの最後の１つのプリアンブルが占めるPRACHリソースに基づいて、PDCCHに対してCRCアタッチメントを行うためのRA-RNTIを計算し;及び
前記UEが、計算により得られたRA-RNTIに基づいてPDCCHに対してCRCデアタッチメントを行い、これにより、各プリアンブルに対応する時間ウィンドウ内でランダムアクセスレスポンスを検出する、ことを含む、方法。
【請求項９】
請求項7に記載の方法であって、更に
前記UEが１つのプリアンブルに対応する時間ウィンドウ内でランダムアクセスレスポンスを検出した場合、後続のプリアンブルの送信を終了する、ことを含む、方法。
【請求項１０】
請求項7に記載の方法であって、
各プリアンブルが使用するPRACHリソースは、基地局が前記ユーザ装置のために予め構成したものである、方法。
【請求項１１】
ランダムアクセス方法であって、
基地局が、UEが１つのTTI又は複数のTTI内で送信した複数のプリアンブルを受信し、各プリアンブルが使用するPRACHリソースは、周波数領域においてホッピングし；
前記基地局が、前記複数のプリアンブル又は前記複数のプリアンブルのうちの一部を用いて共同復調を行い；及び
前記基地局が、正確に復調されたプリアンブルに対応するUEにランダムアクセスレスポンスを送信する、ことを含む、方法。
【請求項１２】
請求項11に記載の方法であって、更に
前記基地局がセル内の全てのUEのためにプリアンブルを送信するPRACHリソースを構成し、これにより、前記UEが、基地局が構成したPRACHリソースに基づいて前記複数のプリアンブルを送信する、ことを含む、方法。
【請求項１３】
請求項12に記載の方法であって、更に
前記基地局が前記UEに構成用シグナリングを送信することを含み、
前記構成用シグナリングは、前記基地局が前記UEのために構成した、前記複数のプリアンブルに対応する複数のPRACHリソースの時間周波数位置情報、及び前記複数のPRACHリソースのホッピング方式を含む、方法。
【請求項１４】
請求項12又は13に記載の方法であって、更に
前記基地局がセル内の全てのUE又は一部のUEに対してグループ化を行い；及び
前記基地局が各グループのUEのために同じPRACHリソースを構成する、ことを含む、方法。
【請求項１５】
請求項11に記載の方法であって、
前記基地局が、正確に復調されたプリアンブルに対応するUEにランダムアクセスレスポンスを送信することは、
前記基地局が、統合された最後の１つのプリアンブルが使用するPRACHリソースに基づいて、PDCCHに対してCRCアタッチメントを行うためのRA-RNTIを計算し;
前記基地局が前記RA-RNTIを用いてPDCCHに対してCRCアタッチメントを行い；及び
前記基地局が、前記PDCCHによりスケジューリングされるPDSCHを用いて前記RARを送信する、ことを含む、方法。
【請求項１６】
ユーザ装置であって、
前記ユーザ装置は、ランダムアクセスを行うために用いられ、
基地局が前記ユーザ装置のために予め構成した複数の物理ランダムアクセスチャネル(PRACH)リソースのうちからプリアンブルを送信するためのPRACHリソースをランダムに選択するための選択ユニット；及び
前記選択ユニットが選択したPRACHリソース上でプリアンブルを送信し、これにより、基地局が、各UEが送信したプリアンブルに基づいて、正確に復調されたプリアンブルに対応するUEにランダムアクセスレスポンスを送信するようにさせるための送信ユニットを含む、ユーザ装置。
【請求項１７】
請求項16に記載のユーザ装置であって、更に
前記基地局が送信したユーザ専用シグナリングを受信するための受信ユニットを含み、
前記ユーザ専用シグナリングは、前記基地局が前記UEのために予め構成した前記複数のPRACHリソースの時間周波数位置情報を含む、ユーザ装置。
【請求項１８】
ユーザ装置であって、
前記ユーザ装置は、ランダムアクセスを行うために用いられ、
前記基地局が送信したユーザ専用シグナリングを受信するための受信ユニットであって、前記ユーザ専用シグナリングは、前記基地局が前記UEのために予め構成した１つのPRACHリソースの時間周波数位置情報を含む、受信ユニット；及び
前記PRACHリソース上でプリアンブルを送信し、これにより、前記基地局が、各UEが送信したプリアンブルに基づいて、正確に復調されたプリアンブルに対応するUEにランダムアクセスレスポンスを送信するようにさせるための送信ユニットを含む、ユーザ装置。
【請求項１９】
基地局であって、
前記基地局は、ランダムアクセスの制御を行うために用いられ、
前記基地局が所属するセル内の全てのUE又は一部のUEのために複数のPRACHリソースを構成し、これにより、前記UEが前記複数のPRACHリソースのうちからプリアンブルを送信するための１つをランダムに選択するようにさせるための構成ユニット；
前記構成ユニットが各UEのために構成した全ての可能なPRACHリソース上で各UEが送信したプリアンブルを復調して検出するための処理ユニット；及び
前記処理ユニットによって正確に復調されたプリアンブルに対応するUEにランダムアクセスレスポンスを送信するための送信ユニットを含む、基地局。
【請求項２０】
請求項19に記載の基地局であって、
前記構成ユニットは、
前記基地局が所属するセル内の全てのUE又は一部のUEに対してグループ化を行うためのグループ化モジュール；及び
前記グループ化モジュールのグループ化後の各グループのUEに１つ又は複数のPRACHリソースを割り当て、これにより、前記UEが前記１つ又は複数のPRACHリソースのうちからプリアンブルを送信するための１つをランダムに選択するようにさせるための割り当てモジュールを含む、基地局。
【請求項２１】
請求項19に記載の基地局であって、
前記送信ユニットは、更に、UEにユーザ専用シグナリングを送信するように用いられ、
前記ユーザ専用シグナリングは、前記構成ユニットが前記UEのために構成した１つ又は複数のPRACHリソースの時間周波数位置情報を含み、
基地局が各UE又は各グループのUEのために構成した前記１つ又は複数のPRACHリソースは、同じである又は異なる、基地局。
【請求項２２】
ユーザ装置であって、
前記ユーザ装置は、ランダムアクセスを行うために用いられ、
１つのTTI又は複数のTTI内で複数のプリアンブルを送信するための送信ユニットであって、各プリアンブルが使用するPRACHリソースは、周波数領域においてホッピングする、送信ユニット；及び
各々の前記プリアンブルに対応する時間ウィンドウ内でランダムアクセスレスポンスを検出するための検出ユニットを含む、ユーザ装置。
【請求項２３】
請求項22に記載のユーザ装置であって、更に
各TTI内のプリアンブルのうちの最後の１つのプリアンブルが占めるPRACHリソースに基づいて、PDCCHに対してCRCアタッチメントを行うためのRA-RNTIを計算するための計算ユニット;及び
前記計算ユニットの計算により得られたRA-RNTIに基づいて、PDCCHに対してCRCデアタッチメントを行い、これにより、前記検出ユニットが各プリアンブルに対応する時間ウィンドウ内でランダムアクセスレスポンスを検出するようにさせるためのデアタッチメントユニットを含む、ユーザ装置。
【請求項２４】
請求項22に記載のユーザ装置であって、更に
前記検出ユニットが１つのプリアンブルに対応する時間ウィンドウ内でランダムアクセスレスポンスを検出した時に、前記送信ユニットが後続のプリアンブルの送信を終了するように制御するための制御ユニットを含む、ユーザ装置。
【請求項２５】
請求項22に記載のユーザ装置であって、
各プリアンブルが使用するPRACHリソースは、基地局が前記ユーザ装置のために予め構成したものである、ユーザ装置。
【請求項２６】
基地局であって、
前記基地局は、ランダムアクセスの制御を行うために用いられ、
UEが１つのTTI又は複数のTTI内で送信した複数のプリアンブルを受信するための受信ユニットであって、各プリアンブルが使用するPRACHリソースは、周波数領域においてホッピングする、受信ユニット；
前記受信ユニットが受信した複数のプリアンブル又は前記複数のプリアンブルのうちの一部を用いて共同復調を行うための復調ユニット；及び
前記復調ユニットによって正確に復調されたプリアンブルに対応するUEにランダムアクセスレスポンスを送信するための送信ユニットを含む、基地局。
【請求項２７】
請求項26に記載の基地局であって、更に
セル内の全てのUEのために、プリアンブルを送信するPRACHリソースを構成し、これにより、前記UEが、基地局が構成したPRACHリソースに基づいて、前記複数のプリアンブルを送信するようにさせるための構成ユニットを含む、基地局。
【請求項２８】
請求項27に記載の基地局であって、
前記送信ユニットは、更に、前記UEに構成用シグナリングを送信するように用いられ、
前記構成用シグナリングは、前記構成ユニットが前記UEのために構成した、前記複数のプリアンブルに対応する複数のPRACHリソースの時間周波数位置情報、及び前記複数のPRACHリソースのホッピング方式を含む、基地局。
【請求項２９】
請求項27又は28に記載の基地局であって、
前記構成ユニットは、更に
前記基地局が所属するセル内の全てのUE又は一部のUEに対してグループ化を行うためのグループ化モジュール；及び
前記グループ化モジュールのグループ化後の各グループのUEのために同じPRACHリソースを構成するための構成モジュールを含む、基地局。
【請求項３０】
請求項26に記載の基地局であって、
前記送信ユニットは、
前記基地局が統合した最後の１つのプリアンブルが使用するPRACHリソースに基づいて、PDCCHに対してCRCアタッチメントを行うためのRA-RNTIを計算するための計算モジュール;
前記RA-RNTIを用いてPDCCHに対してCRCアタッチメントを行うためのアタッチメントモジュール；及び
前記PDCCHによりスケジューリングされるPDSCHを用いて前記RARを送信するための送信モジュールを含む、基地局。
【請求項３１】
通信システムであって、
前記通信システムは、請求項16〜18の何れか１項に記載のユーザ装置及び請求項19〜21の何れか１項に記載の基地局を含み、又は
前記通信システムは、請求項22〜25の何れか１項に記載のユーザ装置及び請求項26〜30の何れか１項に記載の基地局を含む、通信システム。
【請求項３２】
コンピュータ読み取り可能なプログラムであって、
端末装置中で前記プログラムを実行する時に、前記プログラムは、コンピュータに、前記端末装置中で請求項1〜3及び7〜10の何れか１項に記載のランダムアクセス方法を実行させるための、プログラム。
【請求項３３】
コンピュータ読み取り可能なプログラムを記憶した記憶媒体であって、
前記コンピュータ読み取り可能なプログラムは、コンピュータに、端末装置中で請求項1〜3及び7〜10の何れか１項に記載のランダムアクセス方法を実行させるためのプログラムである、記憶媒体。
【請求項３４】
コンピュータ読み取り可能なプログラムであって、
基地局中で前記プログラムを実行する時に、前記プログラムは、コンピュータに、前記基地局中で請求項4〜6及び11〜15の何れか１項に記載のランダムアクセス方法を実行させるための、プログラム。
【請求項３５】
コンピュータ読み取り可能なプログラムを記憶した記憶媒体であって、
該コンピュータ読み取り可能なプログラムは、コンピュータに、基地局中で請求項4〜6及び11〜15の何れか１項に記載のランダムアクセス方法を実行させるためのプログラムである、記憶媒体。
【発明の詳細な説明】
【技術分野】
【０００１】
本発明は、無線通信分野に関し、特に、ランダムアクセス方法、装置及びシステムに関する。
【背景技術】
【０００２】
MTC(Machine  Type  Communication；マシンタイプ通信）が、運営会社の収入及びサービスにとって重要な技術であり、それは、低コストの固定端末を大量に用いて、マシン間の自主的な通信により、各種の応用サービス、例えば、水道メーター、アンメーター、ガスメーターなどのデータレポート、安全モニタリング及び公共安全などを提供することが可能である。
【０００３】
発明者が本発明の実現過程において下記のことを発現した。即ち、一方では、セルラー・ネットワーク・システムが提供するアプリケーション及びサービスの増加に伴い、ユーザの数及びセルラー通信モジュールを有する端末の数も増加し、MTCユーザの数が各種の計量メーター及びモニタリングシステムに緊密に関連するのであり、これが典型的な例であり、システム全体のリソースがサービスの提供にとって極めて重要であり、割り当て効率を低下させるおそれもあり；他方では、MTC端末の１つの重要な特徴が、外部との隔離度が比較的高い室内、例えば、地下室などに設けられ得ることにあり、これにより、MTC端末から基地局への無線リンクのパスロスが比較的大きくなる。パスロスの増大により、ユーザのカバレッジの難しさ及び信号受信のパフォーマンスを増加させてしまう。よって、如何に、MTC端末の低コストを保ったままで、各上りチャネル及び下りチャネルのカバレッジのパフォーマンスを保証することができるかは、１つの解決すべき問題である。
【０００４】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【０００５】
本発明の実施例の目的は、背景技術に述べた問題を解決するように、ランダムアクセス方法、装置及びシステムを提供することにある。
【課題を解決するための手段】
【０００６】
本発明の実施例の第１側面によれば、ランダムアクセス方法が提供され、そのうち、前記方法は、
ユーザ装置（UE)が、基地局によりそれのために予め構成された複数の物理ランダムアクセスチャネル（PRACH)リソースのうちからプリアンブルを送信するためのPRACHリソースをランダムに選択し；及び
前記UEが、選択したPRACHリソース上でプリアンブルを送信し、これにより、基地局が、各UEの送信したプリアンブルに基づいて、正確に復調されたプリアンブルに対応するUEにランダムアクセスレスポンスを送信する、ことを含む。
【０００７】
本発明の実施例の第２側面によれば、ランダムアクセス方法が提供され、そのうち、前記方法は、
UEが、基地局の送信したユーザ専用シグナリングを受信し、前記ユーザ専用シグナリングは、前記基地局が前記UEのために構成した１つのPRACHリソースの時間周波数位置情報を含み；及び
前記UEが、前記PRACHリソース上でプリアンブルを送信し、これにより、基地局が、各UEの送信したプリアンブルに基づいて、正確に復調されたプリアンブルに対応するUEにランダムアクセスレスポンスを送信する、ことを含む。
【０００８】
本発明の実施例の第３側面によれば、ランダムアクセス方法が提供され、そのうち、前記方法は、
基地局が、セル内の全てのUE又は一部のUEのために複数のPRACHリソースを構成し、これにより、前記UEが、前記複数のPRACHリソースのうちからプリアンブルを送信するための１つをランダムに選択し；及び
前記基地局が、全ての可能なPRACHリソース上で各UEの送信したプリアンブルを復調して検出し、正確に復調されたプリアンブルに対応するUEにランダムアクセスレスポンスを送信する、ことを含む。
【０００９】
本発明の実施例の第４側面によれば、ランダムアクセス方法が提供され、そのうち、前記方法は、
UEが、１つのTTI又は複数のTTI内で複数のプリアンブルを送信し、そのうち、各プリアンブルの使用するPRACHリソースが周波数領域においてホッピング（hopping）し；
前記UEが、各々の前記プリアンブルに対応する時間ウィンドウ内でランダムアクセスレスポンスを検出する、ことを含む。
【００１０】
本発明の実施例の第５側面によれば、ランダムアクセス方法が提供され、そのうち、前記方法は、
基地局が、１つのTTI又は複数のTTI内でUEの送信した複数のプリアンブルを受信し、そのうち、各プリアンブルの使用するPRACHリソースが周波数領域においてホッピングし；
前記基地局が、前記複数のプリアンブル又は前記複数のプリアンブルのうちの一部を用いて共同復調（combined  demodulation）を行い；及び
前記基地局が、復調が正確に行われたプリアンブルに対応するUEにランダムアクセスレスポンスを送信する、ことを含む。
【００１１】
本発明の実施例の第６側面によれば、ユーザ装置が提供され、ランダムアクセスを行うために用いられ、そのうち、前記ユーザ装置は、
基地局が前記ユーザ装置のために予め構成した複数の物理ランダムアクセスチャネル(PRACH)リソースのうちからプリアンブルを送信するためのPRACHリソースをランダムに選択するための選択ユニット；及び
前記選択ユニットが選択したPRACHリソース上でプリアンブルを送信し、これにより、基地局が各UEの送信したプリアンブルに基づいて、正確に復調されたプリアンブルに対応するUEにランダムアクセスレスポンスを送信するようにさせるための送信ユニットを含む。
【００１２】
本発明の実施例の第７側面によれば、ユーザ装置が提供され、ランダムアクセスを行うために用いられ、そのうち、前記ユーザ装置は、
前記基地局が送信したユーザ専用シグナリングを受信するための受信ユニットであって、前記ユーザ専用シグナリングは、前記基地局が前記UEのために予め構成した１つのPRACHリソースの時間周波数位置情報を含む、受信ユニット；及び
前記PRACHリソース上でプリアンブルを送信し、これにより、前記基地局が、各UEの送信したプリアンブルに基づいて、正確に復調されたプリアンブルに対応するUEにランダムアクセスレスポンスを送信するようにさせるための送信ユニットを含む。
【００１３】
本発明の実施例の第８側面によれば、基地局が提供され、ランダムアクセスの制御を行うために用いられ、そのうち、前記基地局は、
前記基地局の所属するセル内の全てのUE又は一部のUEのために複数のPRACHリソースを構成し、これにより、前記UEが、前記複数のPRACHリソースのうちからプリアンブルを送信するための１つをランダムに選択するようにさせるための構成ユニット；
前記構成ユニットが各UEのために構成した全ての可能なPRACHリソース上で各UEの送信したプリアンブルを復調して検出するための処理ユニット；及び
前記処理ユニットにより正確に復調されたプリアンブルに対応するUEにランダムアクセスレスポンスを送信するための送信ユニットを含む。
【００１４】
本発明の実施例の第９側面によれば、ユーザ装置が提供され、ランダムアクセスを行うために用いられ、そのうち、前記ユーザ装置は、
１つのTTI又は複数のTTI内で複数のプリアンブルを送信するための送信ユニットであって、各プリアンブルが使用するPRACHリソースは周波数領域においてホッピングする、送信ユニット；及び
各々の前記プリアンブルに対応する時間ウィンドウ内でランダムアクセスレスポンスを検出するための検出ユニットを含む。
【００１５】
本発明の実施例の第１０側面によれば、基地局が提供され、ランダムアクセスの制御を行うために用いられ、そのうち、前記基地局は、
UEが１つのTTI又は複数のTTI内で送信した複数のプリアンブルを受信するための受信ユニットであって、各プリアンブルが使用するPRACHリソースは、周波数領域においてホッピングする、受信ユニット；
前記受信ユニットが受信した複数のプリアンブル又は前記複数のプリアンブルのうちの一部を用いて共同復調を行うための復調ユニット；及び
前記復調ユニットにより正確に復調されたプリアンブルに対応するUEにランダムアクセスレスポンスを送信するための送信ユニットを含む。
【００１６】
本発明の実施例の第１１側面によれば、通信システムが提供され、そのうち、前記通信システムは、第６側面又は第７側面に記載のユーザ装置、及び第８側面に記載の基地局を含み、或いは、前記通信システムは、第９側面に記載のユーザ装置及び第１０側面に記載の基地局を含む。
【００１７】
本発明の実施例の他の側面によれば、コンピュータ読み取り可能なプログラムが提供され、そのうち、端末装置中で該プログラムを実行する時に、該プログラムは、コンピュータに、前記端末装置中で第１、２及び４側面の何れか１つに記載のランダムアクセス方法を実行させる。
【００１８】
本発明の実施例の他の側面によれば、コンピュータ読み取り可能なプログラムを記憶した記憶媒体が提供され、そのうち、該コンピュータ読み取り可能なプログラムは、コンピュータに、端末装置中で第１、２及び４側面の何れか１つに記載のランダムアクセス方法を実行させる。
【００１９】
本発明の実施例の他の側面によれば、コンピュータ読み取り可能なプログラムが提供され、そのうち、基地局で該プログラムを実行する時に、該プログラムは、コンピュータに、前記基地局中で第３及び５側面の何れか１つに記載のランダムアクセス方法を実行させる。
【００２０】
本発明の実施例の他の側面によれば、コンピュータ読み取り可能なプログラムを記憶した記憶媒体が提供され、そのうち、該コンピュータ読み取り可能なプログラムは、コンピュータに、基地局中で第３及び５側面の何れか１つに記載のランダムアクセス方法を実行させる。
【００２１】
本発明の実施例の有益な効果は、一側面によれば、割り当て効率を向上させることができ、他の側面によれば、各端末装置の上りチャネル及び下りチャネルのカバレッジのパフォーマンスを保証し得るということにある。
【００２２】
後述の説明及び図面を参照することで、本発明の特定の実施方式が詳しく開示されており、本発明の原理を採用し得る態様が示されている。なお、本発明の実施方式は、範囲上ではこれによって限定されない。添付した特許請求の範囲内であれば、本発明の実施方式は、様々な変更、修正及び代替によるものを含んでも良い。
【００２３】
また、１つの実施方式について説明した及び／又は示した特徴は、同じ又は類似する方式で１つ又は複数の他の実施方式に用い、他の実施方式中の特徴と組み合わせ、又は他の実施方式中の特徴を置換することができる。
【００２４】
なお、「含む／有する」のような用語は、本明細書に使用される時に、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２５】
以下の図面を参照することで、本発明の多くの側面をより良く理解することができる。図面中の部品は、比例して描いたものではなく、本発明の原理を示すためのものである。また、本発明の一部を便利に示す及び説明するために、図面中の対応する一部を拡大又は縮小することもある。本発明の１つの図面又は１つの実施方式に説明した要素及び特徴は、１つ又は複数の他の図面又は実施方式に示した要素及び特徴と組み合わせても良い。また、図面では、類似する符号が幾つかの図面中の対応する部品を示し、また、複数の実施方式に用いられる対応する部品を示しても良い。
【図１】本発明の実施例1におけるランダムアクセス方法のフローチャートである。
【図２】本発明の実施例2におけるランダムアクセス方法のフローチャートである。
【図３】本発明の実施例3におけるランダムアクセス方法のフローチャートである。
【図４】ホッピング方式を示す図である。
【図５】本発明の実施例4におけるランダムアクセス方法のフローチャートである。
【図６】１つの実施方式におけるUEがプリアンブルを複数回送信すること及び基地局がプリアンブルを復調することを示す図である。
【図７】もう１つの実施方式におけるUEがプリアンブルを複数回送信すること及び基地局がプリアンブルを復調することを示す図である。
【図８】もう１つの実施方式におけるUEがプリアンブルを複数回送信すること及び基地局がプリアンブルを復調することを示す図である。
【図９】本発明の実施例5におけるユーザ装置の構成を示す図である。
【図１０】本発明の実施例6における基地局の構成を示す図である。
【図１１】本発明の実施例7におけるユーザ装置の構成を示す図である。
【図１２】本発明の実施例8における基地局の構成を示す図である。
【発明を実施するための形態】
【００２６】
図面の参照及び以下の説明により、本発明の実施例の上述及び他の特徴がより明確になる。なお、これらの実施方式は例示にすぎず、本発明を限定するものではない。当業者が本発明の原理及び実施形態を容易に理解し得るために、本発明の実施形態では、マシンタイプ通信システムにおけるユーザ装置のランダムアクセスを例として説明を行っているが、理解すべきは、本発明の実施例が上述のシステムに限定されず、ランダムアクセスに関する他のシステムにも適用され得るということである。
【実施例１】
【００２７】
本発明の実施例ではランダムアクセス方法が提供される。図1は該方法のフローチャートであり、図1に示すように、該方法は下記のステップを含む。
【００２８】
ステップ101:ユーザ装置(UE)は、基地局がそれのために予め構成した複数の物理ランダムアクセスチャネル(PRACH)のうちからプリアンブルを送信するためのPRACHリソースをランダムに選択し；
そのうち、該複数のPRACHリソースは同一のTTI内に位置しても良く、複数の異なるTTI内に位置してもよく、本実施例ではこれについて限定しない。そのうち、各PRACHリソースは、周波数領域上で連続した複数のPRB、例えば、6個のPRBに対応し、また、時間領域上で特定の１つのサブフレーム又は幾つかのサブフレームに対応する。
【００２９】
ステップ102:前記UEは、選択したPRACH上でプリアンブルを送信し、これにより、基地局は、各UEの送信したプリアンブルに基づいて、正確に復調されたプリアンブルに対応するUEにランダムアクセスレスポンスを送信する。
【００３０】
本実施例の１つの実施方式では、基地局は、予め、その所属するセル内の一部のUE(例えば、全てのMTC  UE、又は一部の一般UE、又は一部の一般UEと一部のMTC  UEとの組合；又は一部の一般UEと全てのMTC  UEとの組合など）のために複数のPRACHリソースを構成し、そして、該複数のPRACHリソースの時間周波数位置情報をUE専用（UE-specific)の構成用シグナリングにて各UEに伝送し;又は、基地局側及びUE側の間では、複数のPRACHリソースが黙認・約束により決められている。該実施方式により、UEがランダムアクセスを発起する過程で、上述の複数のPRACHリソースの構成が構成用シグナリングにより下りに（UEへ）伝送された場合、UEは該構成用シグナリングを受信することができ、該構成用シグナリングには基地局が該UEのために予め構成した上述の複数のPRACHリソースの時間周波数位置情報が含まれ、その後、UEは上述の予め構成された複数のPRACHリソースのうちからランダムに選択し、そして、選択したPRACHリソース上でプリアンブル（preamble)を送信することができ;また、上述の複数のPRACHリソースが基地局及びUEの双方の約束したものである場合、UEはランダムアクセスを発起する過程で、約束された複数のPRACHリソースのうちから直接的にランダムに選択し、そして、選択したPRACHリソース上でプリアンブルを送信する。
【００３１】
本実施例のもう１つの実施方式では、基地局は、先ず、その所属するセルのUE(全てのUEであっても良く、前の実施方式に言及された一部のUEであっても良い。)についてグループ化し、その後、各グループのUEのために１つ又は複数のPRACHリソースを割り当てる。そのうち、各グループのUEに割り当てられたPRACHリソースは同じであっても良く、異なっても良く、且つ、各グループのUEに割り当てられたPRACHリソースは共通集合を有しても良く、共通集合を有しなくても良い。前の実施方式と同様に、この構成もユーザ専用シグナリングにより下りに伝送されても良く、又は、基地局及びUEの双方で約束されても良い。該実施方式により、UEがランダムアクセスを発起する過程で、基地局がその所在するグループに１つのPRACHリソースを割り当てている場合、UEは、該PRACHリソース上でプリアンブルを送信し；基地局がその所在するクループに複数のPRACHリソースを割り当てている場合、前の実施方式と同様に、UEは、該複数のPRACHリソースのうちからランダムに選択し、その後、選択したPRACHリソースを用いてプリアンブルを送信する。
【００３２】
本実施例では、UEが本実施例の方法でプリアンブルを送信した後に、基地局は、UEのために構成した全ての可能なPRACHリソース上で各UEの送信したプリアンブルを復調して検出し、そして、正確に復調されたプリアンブルに対応するUEにランダムアクセスレスポンス（RA  Response；RARと略称される。)を送信することができる。そのうち、基地局は、該プリアンブルが使用するPRACHリソースに基づいて、RA-RNTI(Random  Access-Radio  Network  Temporary  Identifier；ランダムアクセス無線ネットワーク一時識別子）を計算し、そして、該RA-RNTIを用いてPDCCHに対してCRCアタッチメント（attachment）を行う必要があり、その後、該PDCCHによりスケジューリングされるPDSCH上で前記ランダムアクセスレスポンスを送信する。具体的な送信過程は従来技術と同じであるため、ここでは詳しい説明を省略する。
【００３３】
本実施例では、UEは、本実施例の方法でプリアンブルを送信した後に、RA-RNTIを用いてPDCCHをリスニング（モニタリング）する必要もあり、即ち、PDCCHに対してCRCデアタッチメント（de-attachment）を行い、これにより、該プリアンブルに対応する時間ウィンドウ内でRARを検出することができる。そのうち、UEが使用するRA-RNTIは、基地局所が使用するRA-RNTIとは同じであり、ともにプリアンブルに対応する時間周波数リソース（PRACHリソース）の関数f(fi,ti)である。そのうち、モニタリングの時間ウィンドウ及びモニタリングのプロセスは従来の手段と同じであるため、ここでは詳しい説明を省略する。
【００３４】
本実施例の方法により、UEが、基地局によりそれのために構成された複数のPRACHリソース上でプリアンブルを送信することで、背景技術に述べたハイロード（high  load）の問題を解決することができ、また、基地局がニーズに応じてUEのために割り当てべきPRACHリソースの数を決めることができ、且つ、異なるUEの間の衝突確率を低減することもできる。
【実施例２】
【００３５】
本発明の実施例では更にランダムアクセス方法が提供され、該方法は実施例1の方法に対応する基地局側の処理であり、そのうち、実施例1と同じ内容の重複記載は省略される。図2は本実施例の方法のフローチャートであり、図2に示すように、該方法は下記のステップを含む。
【００３６】
ステップ201:基地局はセル内の全てのUE又は一部のUEのために複数のPRACHリソースを構成し、これにより、前記UEは、前記複数のPRACHリソースのうちからプリアンブルを送信するためのPRACHリソースをランダムに選択し；
そのうち、該複数のPRACHリソースは１つのTTI内に位置しても良く、複数のTTI内に位置しても良く、本実施例ではこれについて限定しない。
【００３７】
ステップ202:前記基地局は、全ての可能なPRACHリソース上で各UEが送信したプリアンブルを復調して検出し、正確に復調されたプリアンブルに対応するUEにランダムアクセスレスポンスを送信する。
【００３８】
実施例1の前の実施方式に対応して、基地局は、その所属するセル内の全てのUE又は一部のUEのために複数のPRACHリソースを構成し、そして、該構成の時間周波数位置情報をユーザ専用シグナリング（UE-specific)により各UEに送信し、又は、基地局側及びUE側の間では、複数のPRACHリソースが黙認・約束により決められている。そのうち、基地局が各UEのために構成した該複数のPRACHリソースは同じであっても良く異なっても良く、共通集合を有しても良く共通集合を有しなくても良く、本実施例ではこれについて限定しない。これにより、UEは、そのうちからプリアンブルを送信するためのPRACHリソースをランダムに選択し、そして、選択したPRACHリソース上でプリアンブルを送信することができる。それ相応に、基地局は、各UEが送信したプリアンブルを受信した後に、UEのために構成した全ての可能なPRACHリソース上で各UEが送信したプリアンブルを復調して検出し、そして、正確に復調されたプリアンブルに対応するUEにランダムアクセスレスポンスを送信する。
【００３９】
実施例1の後の実施方式に対応して、基地局は、先ず、その所属するセル内のUE(全てのUE又は一部のUE)に対してグループ化し、その後、各グループのUEのために１つ又は複数のPRACHリソースを割り当て、即ち、同じグループ内のUEは、同じPRACHリソースを用いる。同様に、該構成の時間周波数位置情報もユーザ専用シグナリングにより各UEに送信されても良く、又は、基地局側及びUE側で互いに約束されても良い。そのうち、基地局が各グループのUEのために構成した該複数のPRACHリソースは同じであっても良く異なっても良く、また、共通集合を有しても良く共通集合を有してなくても良く；基地局が各グループのUEのために構成した該１つのPRACHリソースは同じであっても良く異なっても良く、本実施例ではこれについて限定しない。UEがプリアンブルを送信する時に、基地局がその所在するグループに１つのみのPRACHリソースを割り当てている場合、UEは、該割り当てられたPRACHリソース上でプリアンブルを送信し;基地局がその所在するグループに複数のPRACHリソースを割り当てている場合、UEは、そのうちからランダムに選択し、そして、選択したPRACHリソース上でプリアンブルを送信することができる。
【００４０】
本実施例の方法により、基地局がUEのために、プリアンブルを送信するための１つ又は複数のPRACHリソースを構成することができ、また、UEが基地局によりそれのために構成された１つ又は複数のPRACHリソース上でプリアンブルを送信することで、背景技術に述べたハイロードの問題を解決することができ、このようにして、基地局がニーズに応じて、UEに割り当てべきPRACHリソースの数を決めることができ、異なるUEの間の衝突確率を低減することもできる。
【実施例３】
【００４１】
本発明の実施例では更にランダムアクセス方法が提供され。図3は該方法のフローチャートであり、図3に示すように、該方法は下記のステップを含む。
【００４２】
ステップ301:UEは、１つのTTI又は複数のTTI内で複数のプリアンブルを送信し、そのうち、各プリアンブルが使用するPRACHリソースは、周波数領域においてホッピングし；
ステップ302:前記UEは、各々の前記プリアンブルに対応する時間ウィンドウ内でランダムアクセスレスポンスを検出する。
【００４３】
本実施例では、基地局が予めUEのために複数のPRACHリソースを構成しており、該複数のPRACHリソースは１つのTTI内に位置しても良く、複数のTTI内に位置しても良い。UEが１つのTTI又は複数のTTI内で複数のプリアンブルを送信する時に、各プリアンブルが使用するPRACHリソースは、周波数領域においてホッピングする。また、時間領域上では、各プリアンブルが使用するPRACHリソースは、同一のタイムスロット（TTI)に位置しても良く、異なるタイムスロット（TTI)に位置しても良い。同一のタイムスロットに位置する時に、各プリアンブルが使用するPRACHリソースは、同じ時間領域内の異なる周波数領域上でホッピングし；異なるタイムスロットに位置する時に、各プリアンブルが使用するPRACHリソースは、異なる時間領域内の異なる周波数領域上でホッピングする。
【００４４】
例えば、図4に示すように、複数のプリアンブルの使用するPRACHリソースが同一のタイムスロットに位置する場合、第１のプリアンブルは第１のタイムスロットのPRACH  resource  #1を占め、第２のプリアンブルは第１のタイムスロットのPRACH  resource  #2を占め;複数のプリアンブルの使用するPRACHリソースが異なるタイムスロットに位置する場合、第１のプリアンブルは第１のタイムスロットのPRACH  resource  #lを占め、第２のプリアンブルは第２のタイムスロットのPRACH  resource  #2を占め;複数のプリアンブルの使用するPRACHリソースが同一のタイムスロットに位置することができるのみならず、複数のタイムスロットに位置することもできる場合、第１のプリアンブルは第１のタイムスロットのPRACH  resource  #lを占め、第２のプリアンブルは、第１のタイムスロットのPRACH  resource  #2を占め、第３のプリアンブルは、第２のタイムスロットのPRACH  resource  #lを占め、第４のプリアンブルは、第２のタイムスロットのPRACH  resource  #2を占める。かつ、図4に示すように、各UEの送信したプリアンブルが使用するPRACHリソースは周波数領域においてホッピングする他に、システムによりUEに構成された使用可能なPRACHリソースも時間の変化に伴ってホッピングすることもでき、例えば、第１のPRACHタイムスロットにおいて、周波数領域リソースを使用する位置はPRB  group  #2及びPRB  group  #3であり、第２のPRACHタイムスロットにおいて、周波数領域リソースを使用する位置はPRB  group  #l及びPRB  group  #4である。
【００４５】
なお、上述したのは例示にすぎず、具体的な実現過程では、各プリアンブルの使用するPRACHリソースが周波数領域においてホッピングすることを実現し得る全ての案は、本発明の保護範囲に属すべきである。
【００４６】
本実施例では、基地局が同時に、前記UEのために、前記プリアンブルが繰り返して送信される回数（即ち、プリアンブルの数）、及び、各プリアンブルが使用するPRACHリソースの周波数領域上でのホッピング方式を構成することもでき、これにより、UEは、前記ホッピング方式に基づいて、前記複数のプリアンブルを送信するためのPRACHリソースを選択することができる。そのうち、構成の方式は上述のように、構成用シグナリングにより下りに伝送されても良く、双方の黙認・約束により決められても良く、本実施例ではこれについて限定しない。
【００４７】
本実施例の１つの実施方式では、基地局は、その所属するセルの全てのUE又は一部のUEのためにPRACHリソース及びホッピング方式を構成することができる。本実施例のもう１つの実施方式では、基地局は、先ず、その所属するセルの全てのUE又は一部のUEに対してグループ化し、その後、異なるグループについてPRACHリソース及びホッピング方式を構成しても良い。そのうち、異なるグループについては、PRACHリソース及びホッピング方式は同じであって良く異なっても良く、また、共通集合を有しても良く共通集合を有しなくても良い。
【００４８】
本実施例の１つの実施方式では、UEは、ステップ301でプリアンブルを送信した後に、PDCCHチャネルをモニタリングする必要があり、これにより、ステップ302で各プリアンブルに対応する時間ウィンドウ内でRARを検出することができる。この場合、該実施方式では、UEは、各モニタリングの時間ウィンドウに対応するプリアンブルのうちの最後の１つのプリアンブルが占めるPRACHリソースに基づいて、PDCCHに対してCRCアタッチメントを行うためのRA-RNTIを計算し、その後、該RA-RNTIを用いてPDCCHに対してCRCデアタッチメントを行い、これにより、PDCCHチャネルをモニタリングする。
【００４９】
例えば、UEが１つのTTI内で該複数のプリアンブルを送信する場合、１つのTTIが１つの時間ウィンドウに対応するため、UEは、該複数のプリアンブルのうちの最後の１つのプリアンブルが占めるPRACHリソースに基づいて前述のRA-NTIを計算することができ、又は、既定の規則に従って該複数のプリアンブルのうちの１つ又は幾つかのプリアンブルが占めるPRACHリソースに基づいて前述のA-RNTIを計算し、そして、算出したRA-RNTIを用いてPDCCHに対してCRCデアタッチメントを行っても良く、これにより、PDCCHチャネルをモニタリングし、また、該時間ウィンドウ内で、自分に送信されているRARがあるかどうかを検出することができる。
【００５０】
また、例えば、UEが複数のTTI内で複数のプリアンブルを送信する場合、各TTI内で１つのプリアンブルを送信し、また、１つのTTIが１つの時間ウィンドウに対応するため、UEは、各プリアンブルが占めるPRACHリソースに基づいて該プリアンブルの所在するTTIに対応するRA-RNTIを計算し、そして、算出したRA-RNTIを用いてPDCCHに対してCRCデアタッチメントを行い、これにより、PDCCHチャネルをモニタリングし、また、該時間ウィンドウ内で、自分に送信されているRARがあるかどうかを検出することができる。そのうち、UEがプリアンブルを送信しながら、送信した該プリアンブルに対応する時間ウィンドウ内でRARを検出することができ、また、自分に送信されているRARを検出した時に、後続のプリアンブルの送信を終了することもでき（図6に示すように）；また、UEが１つのプリアンブルを送信するたびに、該プリアンブルに対応する時間ウィンドウ内でRARを検出し、自分に送信されているRARを検出しない時に、後続のプリアンブルの送信を継続して行い、自分に送信されているRARを検出した時に、後続のプリアンブルの送信を終了しても良く（図7に示すように）；また、UEが更に全てのプリアンブルを送信した後に、各プリアンブルに対応する時間ウィンドウ内でRARを検出しても良く；本実施方式では、各プリアンブルに対応する時間ウィンドウが１つのみあり、図8に記載のように、UEは、該時間ウィンドウ内で自分に送信されているRARの有無を検出することができる。
【００５１】
本実施例の方法により、UEが、ホッピング（周波数領域上でのホッピング）方式により複数のプリアンブルを送信することで、干渉をランダム化することができ、また、基地局が複数回伝送のプリアンブルを用いて統合を行い、エネルギーの統計を行うことで、基地局側でプリアンブルを復調するパフォーマンスを改善することができる。
【実施例４】
【００５２】
本発明の実施例では更にランダムアクセス方法が提供され、該方法は実施例3の方法に対応する基地局側の処理であり、実施例3と同じ内容の重複説明は省略される。図5は該方法のフローチャートであり、図5に示すように、該方法は下記のステップを含む。
【００５３】
ステップ501:基地局は、UEが１つのTTI又は複数のTTI内で送信した複数のプリアンブルを受信し、そのうち、各プリアンブルが使用するPRACHリソースは周波数領域においてホッピングし；
ステップ502:前記基地局は前記複数のプリアンブル又は前記複数のプリアンブルのうちの一部を用いて共同復調を行い；
ステップ503:前記基地局は、正確に復調されたプリアンブルに対応するUEにランダムアクセスレスポンスを送信する。
【００５４】
従来のLTEシステムの標準では、基地局は、時間ウィンドウの第n+3個目のサブフレームないし第n+2+N個目のサブフレーム内でランダムアクセスレスポンスを送信することができ、そのうち、nは、UEがプリアンブルを送信する第１個目のサブフレーム番号であり、Nの値は、基地局側によってUEのために構成することができ、その最大値は10である。言い換えると、UEは、最大で１０個のサブフレームにおいて、基地局により自分に伝送されているランダムアクセスレスポンス（RA  response)があるかどうかをモニタリングすることができる。モニタリングのウィンドウ内で自分に送信されているランダムアクセスレスポンスを検出しない場合、UEはその後で再送を行う。ランダムアクセスレスポンスは、基地局から、PDCCHによりスケジューリングされるPDSCHにより搬送され、また、RA-RNTIを用いてPDCCHのCRCアタッチメントを行うことができる。そのうち、上述のRA-RNTIは、UEがプリアンブルを送信するPRACHリソースの位置に基づいて計算することにより得ることができる。このようにして、基地局側及びUE側では、RA-RNTIについて誤解が生じることがない。
【００５５】
本実施例では、基地局が、セル内の全てのUE又は一部のUEのために、プリアンブルを送信するための複数のPRACHリソースを構成することができ、これにより、前記UEは、基地局が構成したPRACHリソースに基づいて、前記複数のプリアンブルを送信する。基地局は更に、セル内の全てのUE又は一部のUEのために、プリアンブルを送信するための複数のPRACHリソースのホッピング方式を構成することもできる。これにより、UEは更に、該ホッピング方式及び構成された複数のPRACHリソースに基づいて、上述の複数のプリアンブルを送信することができる。そのうち、構成の方式としては、上述のように、構成用シグナリングにより下りに伝送されても良く、基地局側及びUE側の双方の黙認・約束により決められても良い。
【００５６】
本実施例では、実施例3に記載のように、基地局は先ず、その所属するセル内の全てのUE又は一部のUEについてグループ化し、そして、各グループのUEのために複数のPRACHリソースを構成しても良く、更に、基地局は、各グループのUEのために、該複数のPRACHリソースのホッピング方式を構成しても良い。
【００５７】
本実施例の１つの実施方式では、基地局がUEのために、プリアンブルを送信するための複数のPRACHリソースを構成し、該複数のPRACHリソースは、プリアンブルの送信回数（プリアンブルの数）及び各PRACHリソースのホッピング規則（ルール）を含む。該実施方式では、UEは、複数のプリアンブルを送信した後に、各モニタリングの時間ウィンドウに対応するプリアンブルのうちの最後の１つのプリアンブルが占めるPRACHリソース（時間領域、周波数領域の位置）に基づいて、PDCCHに対してCRCアタッチメントを行うためのRA-RNTIを計算し、その後、該RA-RNTIを用いてPDCCHに対してCRCデアタッチメントを行い、これにより、PDCCHチャネルをモニタリングすることができる。もし自分に送信されているPDCCHがあるとモニタリングした場合、このPDCCHにより指示されるPDSCH内に搬送された内容は、UEのランダムアクセスへのレスポンス、即ち、RARであるとする。このようにして、UEは、それ相応の時間ウィンドウ内で、自分に送信されているランダムアクセスレスポンス（RAR)の有無をモニタリングすることができる。該実施方式では、それ相応に、基地局は、UEが送信したプリアンブルを受信した後に、UEが送信した一部又は全部のプリアンブルを用いて共同復調を行い、そして、正確に復調されたプリアンブルに対応するUEにRARを送信することができる。そのうち、上述のように、RARは、PDCCHによりスケジューリングされるPDSCHにて搬送され、基地局は、統合された最後の１つのプリアンブルが占めるPRACHリソースに基づいて、PDCCHに対してCRCアタッチメントを行うためのRA-RNTIを計算する。
【００５８】
実施例3及び本実施例の方法をより明確にするために、以下、図6、図7及び図8を基に、本発明の実施例について詳細に説明する。
【００５９】
図6に示すように、UEが、異なるTTIを以てm+1個のプリアンブルを送信し、基地局が、全部又はそのうちの一部を用いてプリアンブル検出を行うとし、チャネルの品質が悪い場合、そのうちの全部又は複数のUEの送信したプリアンブルを用いて、UEの送信したプリアンブルを検出することができ；チャネルの品質が良い場合、そのうちの一部、ひいては１つのプリアンブルだけを用いて、正確なプリアンブルを検出することができる。プリアンブルを検出した後に、基地局は、それ相応の時間ウィンドウ内でRARを送信する。そのうち、時間ウィンドウの位置及びスパン（Span）は、予め構成された関連パラメータに基づいて計算することにより得られる。そのうち、基地局は、その使用する最後の１つの（言い換えると、最新受信した）プリアンブルが占めるPRACHリソースの位置に基づいてRA-RNTIを計算し、そして、該RA-RNTIを用いてPDCCHのCRCアタッチメントを行い、これにより、該PDCCHによりスケジューリングされるPDSCH上で前記RARを送信する。
【００６０】
図7に示すように、図6に示す実施方式との相違点は、基地局が一部又は全部の受信したプリアンブルを用いて共同検出を行うことができ、そして、復調が正確に行われた後にRARを送信することにあり、時間シーケンスの関係及び使用するRA-RNTIは、図6に記載の実施方式と類似する。該実施方式では、UEは、RARを受信した後に、プリアンブルの送信を終了しても良い。
【００６１】
図8に示すように、前の２つの実施方式（図6及び図7)との相違点は、UEの送信した複数のプリアンブルが１つの時間ウィンドウに対応することにある。UEは、その送信した最後の１つのプリアンブルが使用するPRACHリソースに基づいてRA-RNTIを計算し、又は、UEは、既定の規則に従って、その送信した複数のプリアンブルのうちの１つ又は幾つかが使用するPRACHリソースに基づいてRA-RNTIを計算することができる。それ相応に、基地局は、その統合した最後の１つのプリアンブルが使用するPRACHリソースに基づいてRA-RNTIを計算する。
【００６２】
本実施例の方法により、UEが、ホッピング（周波数領域上でホッピング）方式に基づいて複数のプリアンブルを送信することで、干渉をランダム化することができ、基地局が、複数回伝送のプリアンブルを用いて統合を行うことで、エネルギーの統計を行うことができ、基地局側でプリアンブルを復調するパフォーマンスを向上させることができる。
【００６３】
本発明の実施例では更に次の実施例5に記載のようにユーザ装置が提供され、該ユーザ装置が問題を解決する原理は実施例1の方法と類似するため、その具体的な実施は、実施例1の方法の実施を参照することができ、ここでは重複記載を省略する。
【実施例５】
【００６４】
本発明の実施例ではユーザ装置が提供され、該ユーザ装置はランダムアクセスを行うために用いられる。図9は該ユーザ装置の構成を示す図であり、図9に示すように、該ユーザ装置は下記のユニットを含む。
【００６５】
選択ユニット91：基地局が前記ユーザ装置のために予め構成した複数の物理ランダムアクセスチャネル(PRACH)のうちからプリアンブルを送信するためのPRACHリソースをランダムに選択し；
送信ユニット92：前記選択ユニット91が選択したPRACH上でプリアンブルを送信し、これにより、基地局が、各UEの送信したプリアンブルに基づいて、正確に復調されたプリアンブルに対応するUEにランダムアクセスレスポンスを送信する。
【００６６】
そのうち、前記複数のPRACHは、１つのTTI内に在ってもよく、複数のTTI内に在って良く、本実施例ではこれについて限定しない。
【００６７】
１つの実施方式では、該UEは更に下記のユニットを含む。
【００６８】
受信ユニット93：基地局が送信したユーザ専用シグナリングを受信し、前記専用シグナリングは、前記基地局が前記UEのために構成した、前記複数のPRACHの時間周波数位置情報を含む。
【００６９】
本実施例のユーザ装置により、UEが、基地局がそれのために構成した複数のPRACHリソース上でプリアンブルを送信することで、背景技術に述べたハイロードの問題を解決することができ、基地局がニーズに応じてUEのために割り当てべきPRACHリソースの数を決めことができ、また、異なるUEの間の衝突確率を低減することもできる。
【００７０】
本実施例のもう１つの実施例では更にユーザ装置が提供され、該ユーザ装置は、上述の選択ユニット91を含まず、その代わりに、受信ユニット93及び送信ユニット92を含む。そのうち、受信ユニット93は、基地局が送信したユーザ専用シグナリングを受信し、該ユーザ専用シグナリングは、該基地局が該UEのために構成した１つのPRACHの時間周波数位置情報を含み、送信ユニット92は、該基地局が前記UEのために構成したこのPRACHリソース上で該プリアンブルを送信するために用いられる。
【００７１】
本発明の実施例では更に次の実施例6に記載のように基地局が提供され、該基地局が問題を解決する原理は実施例2の方法と類似するため、その具体的な実施は、実施例2の方法の実施を参照することができ、ここでは重復記載を省略する。
【実施例６】
【００７２】
本発明の実施例では更に基地局が提供され、該基地局はランダムアクセスの制御を行うために用いられる。図10は該基地局の構成を示す図であり、図10に示すように、該基地局は下記のユニットを含む。
【００７３】
構成ユニット1001：前記基地局の所属するセル内の全てのUE又は一部のUEのために複数のPRACHリソースを構成し、これにより、前記UEが前記複数のPRACHリソースのうちからプリアンブルを送信するための１つをランダムに選択し；
処理ユニット1002：前記構成ユニット1001が各UEのために構成した全ての可能なPRACHリソース上で各UEの送信したプリアンブルを復調して検出し；
送信ユニット1003：前記処理ユニット1002が正確に復調したプリアンブルに対応するUEにランダムアクセスレスポンスを送信する。
【００７４】
１つの実施方式では、前記構成ユニット1001は下記のモジュールを含んでも良い。
【００７５】
グループ化モジュール10011：前記基地局の所属するセル内の全てのUE又は一部のUEに対してグループ化を行い；
割り当てモジュール10012：前記グループ化モジュールのグループ化後の各グループのUEのために１つ又は複数のPRACHリソースを割り当て、これにより、前記UEが、前記１つ又は複数のPRACHリソースのうちからプリアンブルを送信するための１つをランダムに選択する。
【００７６】
１つの実施方式では、前記送信ユニット1003は更に、前記構成ユニット1001が各UEのために構成した複数のPRACHリソースの時間周波数位置情報をユーザ専用シグナリングにて前記UEに送信する。
【００７７】
他の実施方式では、構成ユニット1001は更に、各グループのUEのために１つのPRACHリソースを構成し、このとき、該送信ユニット1003は更に、構成ユニット1001が該グループのUEのために構成したこの１つのPRACHリソースの時間周波数位置情報をユーザ専用シグナリングにて該グループのUEに送信する。そのうち、基地局が各UE又は各グループのUEのために構成した前記１つ又は複数のPRACHリソースは、同じであってもよく、異なっても良い。
【００７８】
本実施例の基地局がUEのために、プリアンブルを送信するための複数のPRACHリソースを構成することで、背景技術に述べたハイロードの問題を解決することができ、基地局がニーズに応じてUEに割り当てべきPRACHリソースの数を決めることができ、また、異なるUEの間の衝突確率を低減することもできる。
【００７９】
本発明の実施例では更に次の実施例7に記載のようにユーザ装置が提供され、該ユーザ装置が問題を解決する原理は実施例3の方法と類似するため、その具体的な実施は、実施例3の方法の実施を参照することができ、ここでは重複記載を省略する。
【実施例７】
【００８０】
本発明の実施例ではユーザ装置が提供され、該ユーザ装置はランダムアクセスを行うために用いられる。図11は該ユーザ装置の構成を示す図であり、図11に示すように、該ユーザ装置は下記のユニットを含む。
【００８１】
送信ユニット1101：１つのTTI又は複数のTTI内で複数のプリアンブルを送信し、そのうち、各プリアンブルが使用するPRACHリソースは、周波数領域においてホッピングし；
検出ユニット1102：各々の前記プリアンブルに対応する時間ウィンドウ内でランダムアクセスレスポンスを検出する。
【００８２】
１つの実施方式では、前記ユーザ装置は更に下記のユニットを含む。
【００８３】
計算ユニット1103：各TTIに対応する時間ウィンドウ内のプリアンブルのうちの最後の１つのプリアンブルが占めるPRACHリソースに基づいて、PDCCHに対してCRCアタッチメントを行うためのA-RTIを計算し;
デアタッチメントユニット1104：前記計算ユニット1103の計算により得られたRA-RNTIに基づいて、PDCCHに対してCRCデアタッチメントを行い、これにより、前記検出ユニット1102は、各プリアンブルに対応する時間ウィンドウ内で前記ランダムアクセスレスポンスを検出する。
【００８４】
１つの実施方式では、前記ユーザ装置は更に下記のユニットを含む。
【００８５】
制御ユニット1105：前記検出ユニット1102が１つのプリアンブルに対応する時間ウィンドウ内でランダムアクセスレスポンスを検出した時に、前記送信ユニット1101が後続のプリアンブルの送信を終了するように制御する。
【００８６】
１つの実施方式では、前記UEは更に下記のユニットを含む。
【００８７】
受信ユニット1106：基地局が送信した構成用シグナリングを受信し、前記構成用シグナリングは、基地局が前記UEのために構成した複数のPRACHリソースの時間周波数位置情報、及び、前記PRACHリソースのホッピング方式、及び、前記プリアンブルの送信回数を含む。
【００８８】
本実施例のUEがホッピング（周波数領域上でのホッピング）方式で複数のプリアンブルを送信することで、干渉をランダム化することができ、また、基地局が複数回伝送のプリアンブルを用いて統合を行うことで、エネルギーの統計を行うことができ、基地局側でプリアンブルを復調するパフォーマンスを向上させることができる。
【００８９】
本発明の実施例では更に次の実施例8に記載のように基地局が提供され、該基地局が問題を解決する原理は実施例4の方法と類似するため、その具体的な実施は、実施例4の方法の実施を参照することができ、ここでは重復記載を省略する。
【実施例８】
【００９０】
本発明の実施例では基地局が提供され、該基地局はランダムアクセスの制御を行うために用いられる。図12は該基地局の構成を示す図であり、図12に示すように、該基地局は下記のユニットを含む。
【００９１】
受信ユニット1201：UEが１つのTTI又は複数のTTI内で送信した複数のプリアンブルを受信し、そのうち、各プリアンブルが使用するPRACHリソースは、周波数領域においてホッピングし；
復調ユニット1202：前記受信ユニット1201が受信した複数のプリアンブル又は前記複数のプリアンブルのうちの一部を用いて共同復調を行い；
送信ユニット1203：前記復調ユニット1202が正確に復調したプリアンブルに対応するUEにランダムアクセスレスポンスを送信する。
【００９２】
１つの実施方式では、前記基地局は更に下記のユニットを含む。
【００９３】
構成ユニット1204：セル内の全てのUEのために、プリアンブルを送信するためのPRACHリソースを構成し、これにより、前記UEは、基地局が構成したPRACHリソースにて前記複数のプリアンブルを送信する。
【００９４】
そのうち、前記PRACHリソースは１つのTTI内の複数であっても良く、又は、複数のTTI内の複数であっても良い。
【００９５】
そのうち、前記構成ユニット1204は更に、前記UEのために各PRACHリソースのホッピング方式を構成しても良い。該実施方式の１つの実施例では、前記送信ユニット1203は更に、前記UEに構成用シグナリングを送信し、前記構成用シグナリングは、前記構成ユニット1204が各UEのために構成した複数のPRACHリソースの時間周波数位置情報及びそのホッピング方式を含む。
【００９６】
１つの実施方式では、前記構成ユニット1204は更に下記のモジュールを含む。
【００９７】
グループ化モジュール12041：前記基地局が所属するセル内の全てのUE又は一部のUEに対してグループ化を行い；
構成モジュール12042：前記グループ化モジュールのグループ化後の各グループのUEのために同じPRACHリソースを構成する。
【００９８】
１つの実施方式では、前記基地局は更に下記のユニットを含む。
【００９９】
計算ユニット1205：前記基地局が統合した最後の１つのプリアンブルが使用するPRACHリソースに基づいて、PDCCHに対してCRCアタッチメントを行うためのA-RNTIを計算し;
アタッチメントユニット1206：前記計算ユニット1205の計算により得られたRA-RNTIに基づいてPDCCHに対してCRCアタッチメントを行い、これにより、前記送信ユニット1203が、上述のPDCCHによりスケジューリングされるPDSCHで前記ランダムアクセスレスポンスを送信する。
【０１００】
本実施例の基地局により、UEがホッピング（周波数領域上でのホッピング）方式で複数のプリアンブルを送信することで、干渉をランダム化することができ、また、基地局が複数回伝送のプリアンブルを用いて統合を行うことで、エネルギーの統計を行うことができ、基地局側でプリアンブルを復調するパフォーマンスを向上させることができる。
【０１０１】
本発明の実施例では更に通信システムが提供され、そのうち、前記通信システムは実施例5に記載のユーザ装置及び実施例6に記載の基地局を含み、又は前記通信システムは実施例7に記載のユーザ装置及び実施例8に記載の基地局を含む。
【０１０２】
本発明の実施例では更にコンピュータ読み取り可能なプログラムが提供され、そのうち端末装置中で該プログラムを実行する時に、該プログラムは、コンピュータに、前記端末装置中で実施例1又は実施例3に記載のランダムアクセス方法を実行させる。
【０１０３】
本発明の実施例では更にコンピュータ読み取り可能なプログラムを記憶した記憶媒体が提供され、そのうち、該コンピュータ読み取り可能なプログラムは、コンピュータに、端末装置中で実施例1又は実施例3に記載のランダムアクセス方法を実行させる。
【０１０４】
本発明の実施例では更にコンピュータ読み取り可能なプログラムが提供され、そのうち、基地局中で該プログラムを実行する時に、該プログラムは、コンピュータに、前記基地局中で実施例2又は実施例4に記載のランダムアクセス方法を実行させる。
【０１０５】
本発明の実施例では更にコンピュータ読み取り可能なプログラムを記憶した記憶媒体が提供され、そのうち、該コンピュータ読み取り可能なプログラムは、コンピュータに、基地局中で実施例2又は実施例4に記載のランダムアクセス方法を実行させる。
【０１０６】
本発明の以上の装置及び方法は、ハードウェアにより実現されてもよく、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【０１０７】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2016511955.tif 000003
【図２】
2016511955.tif 000004
【図３】
2016511955.tif 000005
【図４】
2016511955.tif 000006
【図５】
2016511955.tif 000007
【図６】
2016511955.tif 000008
【図７】
2016511955.tif 000009
【図８】
2016511955.tif 000010
【図９】
2016511955.tif 000011
【図１０】
2016511955.tif 000012
【図１１】
2016511955.tif 000013
【図１２】
2016511955.tif 000014
【国際調査報告】
2016511955.tif 000015
2016511955.tif 000016
2016511955.tif 000017
2016511955.tif 000018
2016511955.tif 000019
2016511955.tif 000020
2016511955.tif 000021
2016511955.tif 000022